(57)【要約】      （修正有）【課題】電磁ソレノイドの損傷を防止すると共に入賞装置の小型化を図り得る遊技機を提供する。【解決手段】遊技盤に配設された特別入賞装置の特別装置本体６５に、特別入賞口３２を開閉する特別開成部材６６が配設される。特別装置本体６５に特別開成部材６６を作動させる第２電磁ソレノイド６７が配設される。第２電磁ソレノイド６７の本体部８４にカバー部材９０が配設される。カバー部材９０は、本体部８４の上面を覆う第１保護壁部を備える。第１保護壁部は、本体部８４の後面より後方に延出している。第１保護壁部における本体部８４の上面と対向する下面に、該上面から離間する凹部が形成される。凹部と上面とで画成される第１放熱空間は、第１保護壁部における後面外方への突出部で開放する。【選択図】図１６
2016077491.tif 000002
【特許請求の範囲】
【請求項１】
遊技球が流下可能な遊技領域が前側に設けられた遊技盤に配設され、前記遊技領域に開口して該遊技領域を流下する遊技球が入賞可能な入賞口が設けられた装置本体と、該装置本体に配設されて前記入賞口の開口量を変化可能に作動される開成部材と、前記装置本体に配設されて前記開成部材を作動させる電磁ソレノイドとを有する入賞装置を備えた遊技機において、
前記電磁ソレノイドにおける励磁コイルをケーシングで囲繞した本体部にカバー部材が配設され、
前記カバー部材は、
前記本体部に固定手段を介して固定される固定部と、
前記本体部の第１側面に沿って該第１側面の一端から他端まで延在して第１側面の一部を覆うと共に、該本体部における第１側面と交差する第２側面の外方に突出して、本体部の外側を引き回される配線が該本体部に接触するのを防止する保護壁部と、
前記保護壁部における第１側面と対向する面に該第１側面から離間するように凹設された凹部とを備え、
前記凹部と第１側面とで画成される放熱空間は、前記保護壁部における第２側面の外方への突出部で開放するよう構成された
ことを特徴とする遊技機。
【請求項２】
前記カバー部材は、前記本体部の第２側面に沿って該第２側面の一端から他端まで延在して第２側面の一部を覆って本体部の外側を引き回される配線が該本体部に接触するのを防止する別の保護壁部が、前記保護壁部から離間して設けられ、前記保護壁部と別の保護壁部との間に、両保護壁部の延在方向の全長に亘って前記放熱空間に連通する通気空間が形成されている請求項１記載の遊技機。
【請求項３】
前記保護壁部と別の保護壁部との間に前記固定部が設けられ、該固定部を前記本体部に固定する前記固定手段によって該本体部が前記装置本体に固定されている請求項２記載の遊技機。
【請求項４】
前記電磁ソレノイドは、前記装置本体に対して本体部の第１側面が上側を向くと共に第２側面が後側を向く姿勢で配設され、
前記電磁ソレノイドの本体部における第２側面の一端に、後方に延出するフランジ部が設けられ、該フランジ部に前記カバー部材の固定部が固定されている請求項１〜３の何れか一項に記載の遊技機。
【発明の詳細な説明】
【技術分野】
【０００１】
本発明は、遊技盤の前側に設けられた遊技領域を流下する遊技球が入賞可能な入賞装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置(表示装置)を後方から臨ませると共に、該遊技盤における枠状装飾体の下方位置に、パチンコ球(遊技球)の入賞により図柄表示装置での図柄変動を開始させる始動入賞装置(入賞装置)や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成されている。
【０００３】
前記特別入賞装置は、前記遊技領域を流下するパチンコ球が入賞可能な特別入賞口を開閉する開閉部材を装置本体に備え、該開閉部材を、装置本体に配設されて遊技盤の裏側に位置する電磁ソレノイドによって開閉作動するよう構成されている。
【０００４】
ここで、前記電磁ソレノイドの励磁時間が長く続くと、該電磁ソレノイドが高温となることがある。また、パチンコ機では、遊技盤や枠状装飾体等に配設されている各種の電気部品から導出する配線が特別入賞装置の背面側を引き回される場合があり、該配線が高温となった電磁ソレノイドに接触していると、配線の被覆が溶けるおそれがあった。そこで、特許文献１に開示の入賞装置のように、電磁ソレノイドの全体をケース体で覆うことで、配線が電磁ソレノイドに直に接触しないようにすれば、配線の被覆が溶ける等の問題を防止することができる。
【先行技術文献】
【特許文献】
【０００５】
【特許文献１】特開２００９−２０７５４７号公報
【発明の概要】
【発明が解決しようとする課題】
【０００６】
しかしながら、前記電磁ソレノイドの全体をケース体で覆ってしまうと、電磁ソレノイドから発生する熱がケース体の内部にこもって温度上昇し易く、該電磁ソレノイドや入賞装置に配設されている検出手段等が温度上昇により誤作動したり損傷する問題を招くおそれがある。また、電磁ソレノイドを収容するケース体が大きくなるため、入賞装置も大型となって設置スペースを圧迫する難点も指摘される。
【０００７】
すなわち本発明は、従来の技術に係る遊技機に内在する前記課題に鑑み、これを好適に解決するべく提案されたものであって、電磁ソレノイドの損傷を防止すると共に入賞装置の小型化を図り得る遊技機を提供することを目的とする。
【課題を解決するための手段】
【０００８】
前記課題を解決するために、本願の請求項１に記載の発明では、
遊技球が流下可能な遊技領域(28)が前側に設けられた遊技盤(20)に配設され、前記遊技領域(28)に開口して該遊技領域(28)を流下する遊技球が入賞可能な入賞口(32)が設けられた装置本体(65)と、該装置本体(65)に配設されて前記入賞口(32)の開口量を変化可能に作動される開成部材(66)と、前記装置本体(65)に配設されて前記開成部材(66)を作動させる電磁ソレノイド(67)とを有する入賞装置(33)を備えた遊技機において、
前記電磁ソレノイド(67)における励磁コイル(82)をケーシング(83)で囲繞した本体部(84)にカバー部材(90)が配設され、
前記カバー部材(90)は、
前記本体部(84)に固定手段(94)を介して固定される固定部(91)と、
前記本体部(84)の第１側面(84a)に沿って該第１側面(84a)の一端から他端まで延在して第１側面(84a)の一部を覆うと共に、該本体部(84)における第１側面(84a)と交差する第２側面(84b)の外方に突出して、本体部(84)の外側を引き回される配線(H)が該本体部(84)に接触するのを防止する保護壁部(92)と、
前記保護壁部(92)における第１側面(84a)と対向する面に該第１側面(84a)から離間するように凹設された凹部(92e)とを備え、
前記凹部(92e)と第１側面(84a)とで画成される放熱空間(S1)は、前記保護壁部(92)における第２側面(84b)の外方への突出部で開放するよう構成されたことを要旨とする。
【０００９】
請求項１の発明によれば、電磁ソレノイドの一部を覆う保護壁部によって配線が電磁ソレノイドに直に接触するのを防止し得るので、カバー部材による大型化を抑制しつつ配線の損傷を防ぐことができる。また、カバー部材の保護壁部に設けた凹部と電磁ソレノイドの第１側面とによって画成される放熱空間を該電磁ソレノイドの第２側面側で開放するよう構成したので、電磁ソレノイドで発生した熱を放出することができ、熱がこもって電磁ソレノイドが損傷するのを防ぐことができる。
【００１０】
請求項２に記載の発明では、
前記カバー部材(90)は、前記本体部(84)の第２側面(84b)に沿って該第２側面(84b)の一端から他端まで延在して第２側面(84b)の一部を覆って本体部(84)の外側を引き回される配線(H)が該本体部(84)に接触するのを防止する別の保護壁部(93)が、前記保護壁部(92)から離間して設けられ、前記保護壁部(92)と別の保護壁部(93)との間に、両保護壁部(92,93)の延在方向の全長に亘って前記放熱空間(S1)に連通する通気空間(S3)が形成されていることを要旨とする。
請求項２の発明によれば、保護壁部と別の保護壁部との間に画成される通気空間によって放熱効率を高めることができる。また、電磁ソレノイドの本体部における交差する第１側面および第２側面の一部を覆うように保護壁部および別の保護壁部が延在しているので、放熱効果を維持しつつ配線が電磁ソレノイドに直に接触するのを防ぐ抑制効果が高い。
【００１１】
請求項３に記載の発明では、
前記保護壁部(92)と別の保護壁部(93)との間に前記固定部(91)が設けられ、該固定部(91)を前記本体部(84)に固定する前記固定手段(94)によって該本体部(84)が前記装置本体(65)に固定されていることを要旨とする。
請求項３の発明によれば、カバー部材を本体部に固定する固定手段によって電磁ソレノイドを入賞装置の装置本体に固定することができ、固定するための部品点数を低減するこことができる。
【００１２】
請求項４に記載の発明では、
前記電磁ソレノイド(67)は、前記装置本体(65)に対して本体部(84)の第１側面(84a)が上側を向くと共に第２側面(84b)が後側を向く姿勢で配設され、
前記電磁ソレノイド(67)の本体部(84)における第２側面(84b)の一端に、後方に延出するフランジ部(88)が設けられ、該フランジ部(88)に前記カバー部材(90)の固定部(91)が固定されていることを要旨とする。
請求項４の発明によれば、入賞装置の上側から背面側を引き回される配線が電磁ソレノイドに直に接触するのを確実に防止できる。
【発明の効果】
【００１３】
本発明に係る遊技機によれば、電磁ソノレイドの損傷を防止すると共に、入賞装置の小型化を図ることができる。
【図面の簡単な説明】
【００１４】
【図１】実施例に係るパチンコ機を示す正面図である。
【図２】実施例に係る遊技盤を示す正面図である。
【図３】実施例に係る遊技盤に設置部材を配設した状態での要部縦断側面図である。
【図４】実施例に係る遊技盤と設置部材との分解斜視図であって、遊技盤から枠状装飾体、各入賞装置および入賞部材を取り外した状態で示している。
【図５】実施例に係る遊技盤における入賞装置の配設部位を後側から見た要部斜視図である。
【図６】実施例に係る遊技盤の要部縦断側面図である。
【図７】実施例に係る各入賞装置および裏側部材を分解して前側から見た斜視図である。
【図８】実施例に係る始動入賞装置を後側から見た斜視図である。
【図９】実施例に係る始動入賞装置の平面図である。
【図１０】実施例に係る始動入賞装置を分解して前側から見た斜視図である。
【図１１】実施例に係る始動入賞装置を分解して後側から見た斜視図である。
【図１２】実施例に係る特別入賞装置を前側から見た斜視図である。
【図１３】実施例に係る特別入賞装置を後側から見た斜視図である。
【図１４】実施例に係る裏側部材に対する各入賞装置の関係を示す裏側部材の縦断正面図である。
【図１５】実施例に係る裏側部材に対する各入賞装置の関係を示す遊技盤の横断底面図である。
【図１６】実施例に係る特別入賞装置の横断平面図である。
【図１７】実施例に係る特別入賞装置の縦断側面図である。
【図１８】実施例に係る特別入賞装置における第２電磁ソレノイドの配設部位の縦断正面図である。
【図１９】実施例に係る特別入賞装置を分解して前側から見た斜視図である。
【図２０】実施例に係る特別入賞装置を分解して後側から見た斜視図である。
【図２１】実施例に係るカバー部材を示すものであって、(ａ)は前側から見た斜視図、(ｂ)は正面図、(ｃ)は底面図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられると共に、遊技盤２０の後側に、図柄を変動表示可能な表示装置１７(図３参照)が着脱し得るよう配設されている。また、中枠１２の前面側には、遊技盤２０を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１７】
前記表示装置１７は、後述する始動入賞口２９,３０へのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出(リーチ演出、予告演出、報知演出等)を表示部１７ａに表示し得るようになっている。実施例では、前記表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００１８】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された第１経路２８ａ(後述)をパチンコ球が流下する所謂「左打ち」と、該遊技盤２０に形成された第２経路２８ｂ(後述)をパチンコ球が流下する所謂「右打ち(ゴム打ち)」とを打ち分け得るようになっている。また、前枠１３の前部には、ＬＥＤ等の発光体による発光演出が可能なランプ装置１８や、音声や効果音を出力可能なスピーカ１９が配設されており、前記表示装置１７での図柄変動演出に合わせてランプ装置１８で発光演出を行ったりスピーカ１９で音声演出を行い得るよう構成されている。
【００１９】
(遊技盤２０について)
実施例の前記遊技盤２０は、パチンコ球が流下可能な遊技領域２８が前面側に形成された板状部材(遊技領域形成部材)から構成される。また、遊技盤２０の裏側に、該遊技盤２０との間に収容空間２７を画成する設置部材(収容空間画成部材)２２が配設されており、収容空間２７には、発光により演出を行う発光演出装置や、可動体の動作により演出を行う可動演出装置等の各種演出装置Ｍが設置されている(図３参照)。前記遊技盤２０は、合成樹脂材やベニヤ材等から所定板厚の略矩形状に形成されており、図２に示す如く、前面(盤面)に配設された略円形状の案内レール２３によりパチンコ球が流下可能な遊技領域２８が画成されている。実施例の遊技盤２０は、アクリル樹脂から形成された透明板であって、前記収容空間２７に配置した各種演出装置Ｍを遊技盤２０の前面側から透視し得るようになっている。なお、前記表示装置１７は、設置部材２２の裏側に取り付けられて、後述するように設置部材２２に設けた開口部(可視部)２２ａおよび枠状装飾体４２(後述)の開口部４２ａを介して遊技盤２０の前側から視認可能に臨むよう構成される。
【００２０】
前記案内レール２３は、図２に示すように、遊技盤２０の左下部から右上部に至るよう左方向に膨出する円弧状に形成された外レール２４と、遊技盤２０の右上部、右下部および左上部に至るよう右方向に膨出する円弧状に形成された内レール２５とから構成されている。前記内レール２５は、外レール２４の右上端部に連接して遊技盤２０の右上部から下部に亘って配設され、左端縁が右方に凹む円弧状に形成された盤面飾り部材２５ａと、遊技盤２０の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記遊技盤２０の左上部に開放端が臨むよう配置されて、レール部材２５ｂの開放端と外レール２４との間に遊技領域２８(第１経路２８ａ)に開口する打出し口を画成するよう構成され、前記打球発射装置から発射されたパチンコ球が発射通路２６の下方開口から飛翔して、当該打出し口から遊技領域２８内に打ち出されるようになっている。
【００２１】
前記遊技盤２０には、図４に示す如く、前後に貫通する装着口２１ａ,２１ｂ,２１ｃが前記遊技領域２８内の適宜位置に開設されて、各装着口２１ａ,２１ｂ,２１ｃに対して各種の遊技盤設置部品が配設されている。なお、実施例の遊技盤２０には、遊技盤設置部品として枠状装飾体４２、始動入賞装置３１、特別入賞装置３３、複数の普通入賞部材３９等を設置する装着口２１ａ,２１ｂ,２１ｃが形成されている。そして、前記遊技盤２０において遊技領域２８の最下部位置に、該遊技領域２８の最下部位置まで流下したパチンコ球を遊技盤２０の外部に排出するアウト口３６が開設されている。すなわち、前記打球発射装置から発射されて遊技領域２８を流下するパチンコ球が前記遊技盤設置部品に設けられた入球口(始動入賞口２９,３０、特別入賞口３２、複数の普通入賞口等)に入球することにより、入球した入球口に応じた賞球の払い出しや図柄変動演出の実行等の所定の遊技が行われ、遊技領域２８の最下部まで流下したパチンコ球がアウト口３６を介して機外に排出されるよう構成される。なお、前記装着口の形成数は、遊技盤２０に対して取り付けられる遊技盤設置部品の配設位置や配設数等に応じて適宜に決定される。
【００２２】
また、前記遊技盤２０には、前記遊技領域２８内に多数の遊技釘３７が設けられると共に、後述する枠状装飾体４２の左側方に、遊技領域２８を流下するパチンコ球の接触に伴って回転する回転案内部材３８が回転自在に支持されており、遊技釘３７や回転案内部材３８との接触によりパチンコ球の流下方向が不規則に変化するよう構成されている。前記回転案内部材３８は、所謂「風車」とも称される部材であって、該回転案内部材３８の回転に伴ってパチンコ球を弾くように左右方向へ放出する部材である。
【００２３】
実施例の前記遊技盤２０には、図２,図３に示すように、前記案内レール２３で囲まれた遊技領域２８の略中央の大部分が開口する第１装着口２１ａに、前後に開口する枠状に形成された枠状装飾体４２が取り付けられ、該枠状装飾体４２の開口部４２ａの後方に、前記設置部材２２の開口部２２ａが位置するようになっている。すなわち、前記枠状装飾体４２の開口部４２ａの後方に前記表示装置１７の表示部１７ａが位置するよう構成されている。
【００２４】
また、前記遊技盤２０には、前記枠状装飾体４２の下方位置(アウト口３６の直上位置)に形成された第２装着口(装着口)２１ｂに、遊技領域２８を流下するパチンコ球が入賞可能な上部始動入賞口２９および下部始動入賞口３０が設けられた始動入賞装置３１および特別入賞口３２が設けられた特別入賞装置３３が配設されている(図５参照)。上部始動入賞口２９は、パチンコ球が入賞可能に遊技領域２８内で常に上方開口した常時開放型の入賞口とされており、遊技盤２０の遊技領域２８を流下するパチンコ球の流下態様に応じて任意のタイミングで上部始動入賞口２９にパチンコ球が入球(入賞)し得るよう構成されている。また、下部始動入賞口３０は、該下部始動入賞口３０を後述する第１電磁ソレノイド６２の駆動に伴って開放可能に始動開成部材６０で閉鎖する開閉型の入賞口とされており(図６参照)、遊技盤２０の遊技領域２８を流下するパチンコ球の流下態様および第１電磁ソレノイド６２の駆動による始動開成部材６０の開放動作タイミングに応じて下部始動入賞口３０にパチンコ球が入賞し得るよう構成されている。
【００２５】
前記特別入賞装置３３の特別入賞口３２は、該特別入賞口３２を後述する第２電磁ソレノイド６７の駆動に伴って開放可能に特別開成部材６６で閉鎖する開閉型の入賞口とされており(図１５参照)、遊技盤２０の遊技領域２８を流下するパチンコ球の流下態様および第２電磁ソレノイド６７の駆動による特別開成部材６６の開放動作タイミングに応じて特別入賞口３２にパチンコ球が入賞し得るよう構成されている。特別入賞装置３３は、特別入賞口３２に入賞したパチンコ球を検出する特別入賞検出スイッチ７２(後述)を備え、該特別入賞検出スイッチ７２はパチンコ機１０の裏側に配設された制御手段(図示せず)に配線接続されている。
【００２６】
前記パチンコ機１０は、上下の始動入賞口２９,３０に入賞したパチンコ球を検出する始動入賞検出スイッチ１１０,１１４(後述)を備え、該始動入賞検出スイッチ１１０,１１４は前記制御手段に配線接続されている。そして、制御手段では、始動入賞検出スイッチ１１０,１１４によるパチンコ球の検出(上部始動入賞口２９または下部始動入賞口３０へのパチンコ球の入賞)に伴って各種情報が取得され、この取得した情報に基づいて、制御手段で特別入賞装置３３の特別開成部材６６を開放するか否かに係る特図当り抽選(当り判定)が行われるよう構成されている。そして、特図当り抽選の結果に基づいて前記表示装置１７において図柄変動演出が実行され、該表示装置１７での図柄変動演出の結果、該表示装置１７の表示部１７ａに所定の組み合わせ(例えば同一飾図の３つ揃い等)で飾図が確定停止表示されることで、遊技者に有利な大当り遊技(当り遊技)が付与され、大当り遊技の発生に伴って特別入賞装置３３の特別入賞口３２を所定の開放条件で開放する大当り遊技が行われて、遊技者が賞球を獲得し得る機会が与えられるよう構成されている。
【００２７】
前記遊技盤２０には、前記枠状装飾体４２の左側をパチンコ球が流下する遊技領域２８(第１経路２８ａ)に、図４に示す如く、前後に貫通する複数の第３装着口(貫通孔)２１ｃが上下に離間して開設されており、各第３装着口２１ｃに、遊技領域２８を流下するパチンコ球が入賞可能な普通入賞口を備える普通入賞部材３９が配設されている。普通入賞口は、パチンコ球が入賞可能に遊技領域２８内で常に上方開口した常時開放型の入賞口とされており、遊技盤２０の遊技領域２８を流下するパチンコ球の流下態様に応じて任意のタイミングで普通入賞口にパチンコ球が入球(入賞)し得るよう構成されている。また、パチンコ機１０は、上下の普通入賞口に入賞したパチンコ球を検出する普通入賞検出スイッチ(図示せず)を備え、該普通入賞検出スイッチは前記制御手段に配線接続されている。
【００２８】
前記遊技盤２０には、図４に示す如く、最上部の第３装着口２１ｃの上側に、前記第１装着口２１ａに連通して左方向に延在する切欠孔２１ｄが形成されており、該切欠孔２１ｄに、枠状装飾体４２に設けられたゲート部３５が臨むようになっている。ゲート部３５は、パチンコ球が通過可能なゲート入口およびゲート出口が遊技領域２８(第１経路２８ａ)内で常に上下に開口する常時開放型の入球部とされ、遊技盤２０の遊技領域２８を流下するパチンコ球の流下態様に応じて任意のタイミングでゲート入口をパチンコ球が入球(通過)して、ゲート出口を介して遊技領域２８に排出されるようになっている。ゲート部３５は、ゲート入口に入球したパチンコ球を検出可能な球通過検出スイッチ(図示せず)を備え、球通過検出スイッチは、前記制御手段に配線接続されている。そして、球通過検出スイッチから制御手段への球検出信号の入力(すなわちパチンコ球の検出)に伴って、前記始動入賞装置３１の始動開成部材６０を開放するか否かに係る普図当り抽選が行われるよう構成される。
【００２９】
実施例のパチンコ機１０では、前記始動入賞検出スイッチ１１０,１１４、特別入賞検出スイッチ７２、普通入賞検出スイッチがパチンコ球を検出することで賞球払出条件が成立するよう構成されており、当該賞球払出条件の成立に伴って制御手段が図示しない払出制御装置に制御信号を出力して、所定数の賞球が前記上球受け皿１４または下球受け皿１５に払い出されるようになっている。なお、実施例では、前記球通過検出スイッチがパチンコ球を検出することによっては賞球払出条件が成立しないよう設定されており、パチンコ球のゲート部３５の通過に伴って賞球が払い出されないようになっている。
【００３０】
(設置部材２２について)
前記設置部材２２は、前記遊技盤２０の外郭形状より小さな略矩形状に形成された背面板４０と、該背面板４０の外周縁部から前方に突出する画壁部４１とから前方に開口した箱状に形成される(図４参照)。また、画壁部４１の前端部に、開口外側へ向けて延出するよう固定部４１ａが形成されており、該固定部４１ａの前端面を遊技盤２０の裏面に当接させた状態で、当該遊技盤２０と設置部材２２とがネジにより固定される。また、前記設置部材２２の背面板４０には、図３に示す如く、前記枠状装飾体４２の開口部４２ａと前後に整列する位置に、略矩形状の開口部２２ａが前後に開口するよう開設されると共に、該背面板４０の裏側に前記表示装置１７が着脱自在に取り付けられて、該開口部２２ａを介して表示装置１７の表示部１７ａが設置部材２２(遊技盤２０)の前側に臨むようになっている。そして、前記設置部材２２において開口部２２ａを囲繞する周囲に各種演出装置Ｍが設置されて、設置部材２２を基材とする１つのユニットとして扱い得るようになっている。
【００３１】
(枠状装飾体４２について)
次に、前記枠状装飾体４２について詳細に説明する。前記枠状装飾体４２は、図２,図３に示す如く、前記遊技盤２０に開設された枠状装飾体４２が配設される第１装着口２１ａの内側に沿って延在する環状に形成された枠状基部４３と、該枠状基部４３に設けられて前記遊技盤２０の前面より前方に突出し、前記遊技領域２８と表示装置１７の表示部１７ａを区切る庇状部４４と、該庇状部４４の後縁から外方に延出する薄板状の台板部４５とを備える。そして、前記枠状基部４３を第１装着口２１ａに挿入すると共に台板部４５を遊技盤２０の前面に当接した状態で、該台板部４５をネジ等の固定手段で遊技盤２０に固定することで、枠状装飾体４２が遊技盤２０に取り付けられて、該枠状装飾体４２の外側、具体的には庇状部４４と案内レール２３との間にパチンコ球が流下する遊技領域２８が画成されるようになっている。すなわち、枠状装飾体４２の庇状部４４によって、遊技領域２８の内周を区画するよう構成されている。なお、枠状装飾体４２を遊技盤２０に取り付けた状態で、庇状部４４の後端縁から外方に延出する台板部４５が遊技盤２０の前面に沿って延在して、該台板部４５の前側をパチンコ球が通り得るよう構成される。また、枠状装飾体４２は、全体が透明な合成樹脂製とされており、透明な遊技盤２０の前側に台板部４５を重ねた状態で、該台板部４５および遊技盤２０を介して裏側を透視可能に構成されている。
【００３２】
前記枠状装飾体４２の庇状部４４は、枠状装飾体４２(台板部４５)の左側縁の略中間位置から上縁および右下縁に亘って連続して延在するよう設けられており、前記表示装置１７における表示部１７ａの前面側を横切ってパチンコ球が流下(落下)するのを規制している。また庇状部４４は、最上部位置から左右方向に下方傾斜するよう形成されて、遊技領域２８に打ち出されたパチンコ球が庇状部４４上で滞ることなく枠状装飾体４２の左側方または右側方へ誘導案内されるよう形成されている。すなわち、枠状装飾体４２の外側に画成される流下経路２８ａ,２８ｂは、図２に示す如く、該枠状装飾体４２の左側方をパチンコ球が流下する第１経路２８ａ、および枠状装飾体４２の右側方をパチンコ球が流下する第２経路２８ｂに分かれており、前記打球発射装置により遊技領域２８内に発射されたパチンコ球は、到達位置に応じて枠状装飾体４２およびレール部材２５ｂの間に形成される第１経路２８ａか、或いは枠状装飾体４２および盤面飾り部材２５ａの間に形成される第２経路２８ｂの何れかを流下するよう構成される。
【００３３】
前記枠状装飾体４２には、図２に示す如く、該枠状装飾体４２の内周下縁部(開口部４２ａの下部側)に、ステージ４６が配設されると共に、該枠状装飾体４２の左側縁部に、前記第１経路２８ａ(遊技領域２８)に開口して該第１経路２８ａを流下するパチンコ球を枠状装飾体４２の内側(ステージ４６)に取り込む球導入部４７が設けられ、該球導入部４７がステージ４６に連通するよう構成される。そして、球導入部４７からステージ４６に通出されたパチンコ球は、ステージ４６上を左右に転動した後に、前記始動入賞口２９,３０が設けられている遊技領域２８に排出される。また、前記ステージ４６の後端縁には、左右方向の全長に亘って上側に向けて所定高さで立上がる透明壁４８(図３参照)が設けられ、ステージ４６上を転動するパチンコ球が表示装置１７の表示部１７ａ側に移動するのを該透明壁４８で防止している。また、透明壁４８の上端縁に、前記前枠１３における透明部材１３ａの裏面に近接する位置(透明部材１３ａとの間をパチンコ球が通過できない隙間となる位置)まで張り出す張出部４８ａが設けられており、遊技釘３７に接触して跳ねてステージ４６に飛び込むパチンコ球が表示部１７ａ側に移動するのを該張出部４８ａで防止している。
【００３４】
前記枠状装飾体４２には、図２に示す如く、パチンコ機１０のモチーフとなる意匠が施された複数の装飾部品４９が、前記庇状部４４の内周縁部に設けられている。そして、本実施例では、装飾部品４９、庇状部４４および前記透明壁４８の張出部４８ａによって、前記表示装置１７の表示部１７ａを前側に臨ませる開口部４２ａが画成される。
【００３５】
(始動入賞装置３１について)
次に、前記始動入賞装置(入賞装置,別の入賞装置)３１について詳細に説明する。前記第２装着口２１ｂは、図４,図５に示す如く、上部開口(装着口,別の装着口)５０と、該上部開口５０の下側に連設されて横長略矩形状の下部開口(装着口,別の装着口)５１とから構成され、上部開口５０に前記始動入賞装置３１が取り付けられると共に、下部開口５１に前記特別入賞装置３３が取り付けられるよう構成される。
【００３６】
図７〜図１１に示すように、前記始動入賞装置３１は、遊技盤２０の前面に臨む取付板５２と、該取付板５２の前側に設けられて、前記上部始動入賞口(上部入賞口)２９を有する上部球受部５３と、該上部球受部５３の下方に設けられて、前記下部始動入賞口(下部入賞口)３０を有する下部球受部５４と、取付板５２の後側に配設された始動装置本体(装置本体)５５とを備える。また、始動装置本体５５には、前記上部始動入賞口２９に連通して、該上部始動入賞口２９に入賞したパチンコ球を遊技盤２０の後方へ転動させる上部球通路(球通路)５６と、前記下部始動入賞口３０に連通して、該下部始動入賞口３０に入賞したパチンコ球を遊技盤２０の後方へ転動させる下部球通路(球通路)５７とが形成されている。そして、前記始動装置本体５５を遊技盤２０の前記上部開口５０に前側から挿入し、取付板５２を遊技盤２０にネジ止めすることで、始動入賞装置３１が遊技盤２０に取り付けられる。図５,図６に示すように、前記始動入賞装置３１が遊技盤２０に取り付けられた状態では、前記始動装置本体５５が遊技盤２０の裏面から後方へ突出して、上部開口５０を貫通している。
【００３７】
前記上部球受部５３は、図８〜図１１に示すように、前記取付板５２の上部から前方へ突出すると共に上方および後方へ開放するよう形成され、該上部球受部５３の上方開口が前記上部始動入賞口２９として機能するようになっている。前記取付板５２の後側には、前記上部球受部５３と対応する位置に、後方へ向けて直線状に延在する樋状部５８が形成されている。前記樋状部５８は、その全長に亘って上方に開放する半円筒状に形成されており、前記上部始動入賞口２９に入賞したパチンコ球は、上部球受部５３から樋状部５８を介して後方へ転動するようになっている。すなわち、この樋状部５８によって、上部始動入賞口２９に入賞したパチンコ球を遊技盤２０裏側に案内するように前後方向に延在する上部球通路５６が画成されている。
【００３８】
前記樋状部５８の後端は後壁によって閉塞されると共に、該樋状部５８の一方の側部(実施例では右側部)の後部位置に、側方に向けて開放する上球出口(出口)５６ａが形成されており(図１３参照)、上部球通路５６を後端まで転動したパチンコ球は上球出口５６ａから右側方に向けて排出可能に構成されている。上部球受部５３および樋状部５８の底面に、左右方向の中央において前後方向に延在すると共に上面が後方傾斜する案内条部５９が設けられており、上部始動入賞口２９に入賞したパチンコ球を該案内条部５９によって遊技盤２０裏側に向けて円滑に案内し得るようになっている。また、樋状部５８における上球出口５６ａの形成側とは反対側の後隅部に、図９,図１０に示す如く、前側から後側に向かうにつれて上球出口５６ａに近接するように傾斜する変更部５８ａが形成されており、上部球通路５６(樋状部５８)を転動するパチンコ球の進行方向を該変更部５８ａによって上球出口５６ａに向けて変更し得るよう構成してある。樋状部５８には、前記上球出口５６ａの形成位置に対応して該樋状部５８の底面から外側方に延出する延出部５８ｂが形成されると共に、該延出部５８ｂの上面は延出方向に向けて下方傾斜している。この延出部５８ｂは、後述する裏側部材１００に形成される上部球排出通路１０１の上部球入口１０１ａの下側を画成する底壁の開放端に近接する位置まで延出して(図１４参照)、上球出口５６ａから排出されるパチンコ球を上部球排出通路１０１に案内するべく機能する。
【００３９】
前記下部球受部５４は、図９,図１１に示す如く、前記取付板５２から前側に離間する前板５４ａと、該前板５４ａの上縁部を除く縁部から後方へ延出して前記取付板５２に当接した前板壁部５４ｂとから上方に開放するよう構成されている。そして、下部球受部５４の上方開口が前記下部始動入賞口３０として機能する。前記取付板５２における前板５４ａの後方位置に、図１０,図１１に示す如く、前後方向に貫通する下開口部５２ａが形成されると共に、前記始動装置本体５５の内部には、下開口部５２ａを介して下部始動入賞口３０に連通する前記下部球通路５７が前後方向に延在するよう設けられる。また、始動装置本体５５における下部球通路５７の後端には、上下方向に開放する下球出口(出口)５７ａが形成されており(図６参照)、下部球通路５７を後端まで転動したパチンコ球は下球出口５７ａから下方に向けて排出可能に構成されている。
【００４０】
(始動開成部材６０について)
前記始動開成部材(開成部材,別の開成部材)６０は、図９〜図１１に示す如く、前記取付板５２と前板５４ａとの間において前記下開口部５２ａを挟む左右両側に位置する左右一対の開閉体６１,６１で構成される。各開閉体６１は、取付板５２と前板５４ａとの間において下端部が前後方向の軸回りに回転自在に支持されると共に、各開閉体６１は互いに左右対称な形状で上方に向かって徐々に薄肉となる所謂フラップ状に形成されている。前記始動装置本体５５には、前記上下の球通路５６,５７の間に、前後方向に動作するプランジャ(作動部)６２ａを前方へ向けた姿勢で駆動手段としての第１電磁ソレノイド６２が配設されている。また、始動装置本体５５には、図６,図１０,図１１に示す如く、前記一対の開閉体６１,６１および第１電磁ソレノイド６２のプランジャ６２ａを連繋する第１連繋部材(連繋部材)６３が配設されている。そして、始動開成部材６０の両開閉体６１,６１は、第１電磁ソレノイド６２の励磁・非励磁(駆動)によりプランジャ６２ａを前後移動することで取付板５２と前板５４ａとの間において上端部(先端部)が相互に近接する方向および相互に離間する方向へ揺動するよう構成される。
【００４１】
ここで、前記開閉体６１,６１の上端部を相互に離間させた開放状態では、該開閉体６１,６１と前記上部球受部５３との間から下部始動入賞口３０へのパチンコ球の入賞を許容すると共に、開閉体６１,６１の上端部を相互に近接させた閉成状態では、該開閉体６１,６１の上端部が上部球受部５３の真下に位置して、開閉体６１,６１および上部球受部５３により、下部始動入賞口３０へのパチンコ球の入賞が規制されるようになっている。すなわち、実施例の前記始動開成部材６０は、一対の開閉体６１,６１の上端部を近接・離間することで下部始動入賞口３０の開口量を変化可能に構成されている。また実施例では、前記第１電磁ソレノイド６２に通電していない非励磁状態においては、前記開閉体６１,６１が前記閉成状態に変位し、第１電磁ソレノイド６２に通電した励磁状態においては、該開閉体６１,６１が前記開放状態に変位するよう構成されている。
【００４２】
(上下の球通路５６,５７の関係について)
前記上部球通路５６および下部球通路５７は、図６,図８に示す如く、前記第１電磁ソレノイド６２を挟んで上下方向で整列するように設けられている。すなわち、上部球通路５６および下部球通路５７は左右方向に偏倚することなく上下方向で整列した状態で前後方向に延在している。また、上下の球通路５６,５７の後端位置は略同じ位置となるように設定されると共に、上部球通路５６の上球出口５６ａおよび下部球通路５７の下球出口５７ａの形成位置については、前後方向において略同じ位置となるように設けられている。すなわち、上球出口５６ａおよび下球出口５７ａは、前後に偏倚しないようになっている。そして、図１４に示す如く、上部球通路５６の上球出口５６ａが、第１電磁ソレノイド６２の側部上方において後述する裏側部材１００における上部球排出通路１０１の上部球入口１０１ａに連通すると共に、下部球通路５７の下球出口５７ａが、第１電磁ソレノイド６２の下方において裏側部材１００における下部球排出通路１０２の下部球入口１０２ａに連通するよう構成される。なお、上下の球通路５６,５７の後端位置は、略同じ位置とするのが好ましいが、同じ位置がより好ましい。また、上下の球出口５６ａ,５７ａの形成位置についても、前後方向において略同じ位置とするのが好ましいが、同じ位置がより好ましい。
【００４３】
ここで、前記取付板５２、上部球受部５３、下部球受部５４は透明に構成されると共に、取付板５２の前面、上部球受部５３の前面および下部球受部５４における前板５４ａの前面には、所要の意匠が表示された装飾シールが貼着されて、始動開成部材６０を作動する機構部分(第１電磁ソレノイド６２および第１連繋部材６３)が取付板５２、上部球受部５３および下部球受部５４の前板５４ａを透して見えないよう構成される。なお、上部球受部５３および下部球受部５４に貼着される装飾シールが非光透過性であるのに対し、取付板５２に貼着される装飾シールは光透過性に構成されており、後述する発光体６４ａから照射される光によって装飾シールに形成されている意匠が照らし出されることで演出効果を向上し得るよう構成される。
【００４４】
前記始動装置本体５５には、図９に示す如く、前記第１電磁ソレノイド６２を挟む左右両側に、前記取付板５２の裏面から離間して発光基板６４が夫々取り付けられている。各発光基板６４における取付板５２の裏面に対向する前面に、発光手段としてのＬＥＤ等の発光体６４ａが実装されており、該発光体６４ａを発光することで取付板５２を裏側から照明し得るよう構成される。
【００４５】
前記第１電磁ソレノイド６２および各発光基板６４に一端が接続される配線は、結束具によって結束されて纏められ、前記始動装置本体５５の後部に設けられた係止片５５ａに係止される。そして、結束具で纏められた配線は、前記特別入賞装置３３の後側(外側)を引き回された後に、前記設置部材２２に配設された中継基板(図示せず)に接続されるよう構成される。なお、以後の説明において、特別入賞装置３３の上側に配設されている前記始動入賞装置３１から導出する複数の配線が纏められたものを配線Ｈと指称するものとする。実施例では、図５に示す如く、始動装置本体５５の後右端部に係止片５５ａが設けられており、該係止片５５ａに結束具を介して係止された配線Ｈは、始動入賞装置３１の後端右側から特別入賞装置３３の後側に引き回されるようになっている。
【００４６】
(特別入賞装置３３について)
次に、前記特別入賞装置(入賞装置,別の入賞装置)３３について詳細に説明する。図１２,図１３,図１５,図１６に示すように、前記特別入賞装置３３は、前方に開放してパチンコ球が通過可能な横長矩形状の前記特別入賞口(入賞口)３２を備えた特別装置本体(装置本体)６５と、該特別装置本体６５に設けられ、特別入賞口３２の開口量を可変可能な特別開成部材(開成部材,別の開成部材)６６と、特別装置本体６５に設けられ、特別開成部材６６を開閉動作させる駆動手段としての第２電磁ソレノイド(電磁ソレノイド)６７とを備える。特別装置本体６５は、前記特別入賞口３２が開設された板状部材６８と、該板状部材６８が前側に取り付けられる基体部６９とから構成され、前記第２装着口２１ｂにおける下部開口５１に基体部６９を前側から挿入した状態で、板状部材６８が遊技盤２０にネジ止め固定される。図５,図６に示すように、特別入賞装置３３が遊技盤２０に取り付けられた状態では、前記基体部６９が遊技盤２０の裏面から後方へ突出して、下部開口５１を貫通している。
【００４７】
前記基体部６９には、前方に開放する入賞空間７１が画成されており、該入賞空間７１の前方開口部(以下、本体開口部６９ａという)が、図１６に示すように、前記板状部材６８の特別入賞口３２に後側から整合する状態で板状部材６８および基体部６９が組み付けられている。基体部６９における入賞空間７１の底部は、右側から左側に向かうにつれて下方へ緩やかに傾斜しており、入賞空間７１に入賞したパチンコ球を左側へ案内するよう構成される。また、基体部６９における入賞空間７１の後面を画成する後壁６９ｂは、右側から左側に向かうにつれて後方傾斜しており、該後壁６９ｂに当接したパチンコ球を左方へ案内するよう構成されている。
【００４８】
前記基体部６９の後壁６９ｂには、図１６,図１９に示すように、前記入賞空間７１の左側に偏倚した位置に、前後方向に開口する特別球出口(球出口)７１ａが形成されている。すなわち、入賞空間７１に入賞したパチンコ球は、入賞空間７１の底部や前記後壁６９ｂにより左方へ案内されて、該特別球出口７１ａを通過して遊技盤２０裏側に排出されるよう構成される。実施例では、特別入賞口３２に入賞したパチンコ球は、入賞空間７１によって遊技盤２０裏側に案内されるよう構成されており、該入賞空間７１が特別入賞口３２に入賞したパチンコ球を遊技盤２０裏側に案内する特別球通路(別の球通路)７１として機能する。また、前記基体部６９には、特別球出口７１ａの後側にスイッチ取着部６９ｃが設けられ、該スイッチ取着部６９ｃに、前記制御手段に配線を介して接続する特別入賞検出スイッチ７２が取り付けられている。そして、特別入賞検出スイッチ７２の前後方向に開放する検知部をパチンコ球が通過することで、制御手段の制御下に所定数の賞球の払い出しが行われるよう構成される。また、基体部６９の下面に、図１９に示す如く、左右に離間して複数の基板取着部６９ｅが設けられており、該基板取着部６９ｅに発光基板１２２が取り付けられている。この発光基板１２２の上面には、複数のＬＥＤ等の発光体１２２ａが実装されており、該発光体１２２ａによって特別球通路(入賞空間)７１を照明し得るようになっている。
【００４９】
(ソレノイド取着部７３について)
前記基体部６９の裏側における右端部(スイッチ取着部６９ｃとは反対の端部)に、ソレノイド取着部７３が設けられており、該ソレノイド取着部７３に、前記特別開成部材６６を作動する前記第２電磁ソレノイド６７が取り付けられる取着部材７４が後側から着脱自在に取り付けられるよう構成される。ソレノイド取着部７３には、前記後壁６９ｂから後方に突出する複数(実施例では２つ)の固定ボス７３ａが左右方向に離間して設けられており、各固定ボス７３ａには後方に開口するネジ孔が形成されている。また、ソレノイド取着部７３を構成する後壁６９ｂには、図１６に示す如く、右端から左側に離間する位置まで後側に一段突出する突出面部７３ｂが設けられると共に、後壁６９ｂにおける突出面部７３ｂの左側には前後に貫通する位置決め孔７３ｃが上下方向に所定長さで形成されている。突出面部７３ｂより左側の後壁６９ｂの後面は、突出面部７３ｂから離間するにつれて後方に変位するように傾斜しており、該傾斜面に、位置決め孔７３ｃの左方において上下に離間して一対の位置決め突片７３ｄ,７３ｄが設けられると共に、位置決め孔７３ｃの下方位置に位置決め突部７３ｅが突設されている(図２０参照)。そして、突出面部７３ｂ、位置決め孔７３ｃ、位置決め突片７３ｄ,７３ｄおよび位置決め突部７３ｅによって、取着部材７４がソレノイド取着部７３に位置決めされた状態で、該取着部材７４が固定ボス７３ａにネジ止め固定されるようになっている。
【００５０】
前記基体部６９における後壁６９ｂの裏面には、前記スイッチ取着部６９ｃとソレノイド取着部７３との間に、後述する裏側部材１００に設けられている下部球排出通路１０２の前側開口１０２ｃを塞ぐ蓋部９５が設けられている(図１５参照)。実施例の蓋部９５は、後方に突出すると共に上下方向に延在する複数の板状の蓋片９５ａを左右方向に離間して平行に設けることで構成されて、これら蓋片９５ａが下部球排出通路１０２の前側開口１０２ｃに臨むことで、該前側開口１０２ｃを塞ぐと共に下部球排出通路１０２を流下するパチンコ球を案内するよう構成される。
【００５１】
(取着部材７４について)
前記取着部材７４は、図１９,図２０に示す如く、前側および左側が開口する略箱状に形成された部材であって、右側壁の前端に右方に延出する第１延出部７５が設けられると共に、該第１延出部７５に前後方向に貫通する通孔７５ａが形成されている。また、取着部材７４には、底壁から左方に延出する第２延出部７６が設けられると共に、該第２延出部７６に前後方向に貫通する通孔７６ａが形成されている。そして、取着部材７４の前側開口をソレノイド取着部７３を構成する前記後壁６９ｂに対向して各延出部７５,７６を対応する前記固定ボス７３ａ,７３ａの後端に当接した状態で、延出部７５,７６の通孔７５ａ,７６ａに後側から挿通したネジを対応する固定ボス７３ａのネジ孔に螺挿することで、当該取着部材７４がソレノイド取着部７３の固定されるよう構成される。
【００５２】
前記取着部材７４の底壁には、図１９に示す如く、前側の左端部から上方に延出する規制壁７７が設けられている。この規制壁７７の前部に、前記ソレノイド取着部７３の前記一対の位置決め突片７３ｄ,７３ｄに対応する一対の規制片７７ａ,７７ａが上下に離間して設けられると共に、底壁における規制壁７７の下側に、ソレノイド取着部７３の前記位置決突部７３ｅに対応する規制凹部７８が設けられている。すなわち、取着部材７４の前側開口をソレノイド取着部７３における前記後壁６９ｂに対向した状態で、各規制片７７ａ,７７ａが対応する位置決め突片７３ｄ,７３ｄの上側に係合すると共に、規制凹部７８に位置決め突部７３ｅが嵌り込むことで、ソレノイド取着部７３に対して取着部材７４が位置決めされるようになっている。
【００５３】
前記取着部材７４には、該取着部材７４における後壁の左端に、後方に延出する第３延出部７９が設けられており(図２０参照)、該第３延出部７９に、左側に突出する位置決め突部７９ａが設けられている。また、第３延出部７９は、位置決め突部７９ａの形成位置から離間した位置(実施例では上側に離間した位置)に、右側に延在するネジ用突部７９ｂが設けられると共に、第３延出部７９およびネジ用突部７９ｂに、左方に開口するネジ孔７９ｃが形成されている。なお、第３延出部７９の左端は、前記規制壁７７の右端から右側に第２電磁ソレノイド６７の後述するフランジ部８８の厚み分だけ離間して位置するよう設定されている。
【００５４】
なお、前記取着部材７４の上壁には、前方および左側方に開放する略台形状の切欠部８０が形成されており、取着部材７４をソレノイド取着部７３に取り付けた状態で、図１２,図１３に示す如く、ソレノイド取着部７３における前記突出面部７３ｂの上側において後壁６９ｂから後方に延出する張出壁部８１が該切欠部８０に臨んで、該切欠部８０が塞がれるようになっている。
【００５５】
(第２電磁ソレノイド６７について)
前記第２電磁ソレノイド６７は、通電することで磁力を発生する磁力発生部(励磁コイル)８２を金属製のケーシング８３で囲繞した本体部８４と、磁力発生部８２に発生した磁力により直線的に進退移動するプランジャ８５とを備え、本体部８４から突出するプランジャ８５の先端部に係合部材８６が配設されている。また、本体部８４と係合部材８６との間のプランジャ８５にバネ等の弾性部材８７が巻装されて、該プランジャ８５は弾性部材８７によって常には本体部８４から延出する方向に付勢されている。
【００５６】
前記ケーシング８３は、図１９,図２０に示す如く、上下方向に開放する平面視でロ字状に形成されると共に、プランジャ８５が突出する右端部の壁部に、前後方向に延出するフランジ部８８,８８が形成されている。また、後側のフランジ部８８には、前記取着部材７４の前記第３延出部７９に設けられているネジ孔７９ｃおよび位置決め突部７９ａに対応する通孔８８ａおよび位置決め孔８８ｂが上下に離間して形成されている。第２電磁ソレノイド６７は、図１６に示す如く、前側のフランジ部８８を前記取着部材７４における規制壁７７の右側に位置させると共に、後側のフランジ部８８を取着部材７４における第３延出部７９の左側に位置させた状態で該取着部材７４に取り付けられる。そして、取着部材７４に第２電磁ソレノイド６７を取り付けた状態で、後側のフランジ部８８に設けた位置決め孔８８ｂに、第３延出部７９に設けられている位置決め突部７９ａが嵌挿されて、前記通孔８８ａがネジ孔７９ｃに整合するように位置決めされる。なお、第２電磁ソレノイド６７の前側のフランジ部８８は、取着部材７４の規制壁７７より前側に延出するように寸法が設定されている。
【００５７】
前記第２電磁ソレノイド６７が取り付けられた取着部材７４は、前述したようにソレノイド取着部７３に対して位置決め突片７３ｄ,７３ｄ、位置決め突部７３ｅと規制片７７ａ,７７ａ、規制凹部７８によって位置決めされる他に、取着部材７４の規制壁７７から前方に延出する前側のフランジ部８８がソレノイド取着部７３の位置決め孔７３ｃに挿通されることでも位置決めされるよう構成される。また、前側のフランジ部８８は、図１６に示す如く、ソレノイド取着部７３の前記突出面部７３ｂの左端面と規制壁７７とで左右から挟まれて左右方向への変位が規制されるようになっている。前記ソレノイド取着部７３の突出面部７３ｂに、第２連繋部材８９が配設されており、ソレノイド取着部７３に取着部材７４を取り付けることで、該第２連繋部材８９に第２電磁ソレノイド６７の係合部材８６が係合するよう構成される。
【００５８】
図１９に示すように、特別入賞装置３３の前記基体部６９の前部には、前記本体開口部６９ａを挟むように左右に離間して一対の支持部６９ｄ,６９ｄが設けられている。また、前記特別開成部材６６は、前記特別入賞口３２の開口形状に略合致する横長矩形板状に形成されており、該特別開成部材６６の左右端部が、前記支持部６９ｄ,６９ｄに回動自在に支持されている。また、特別開成部材６６の裏面右端部に被連繋部６６ａが形成されており、該被連繋部６６ａに前記第２連繋部材８９が連繋されている。そして、第２電磁ソレノイド６７の励磁・非励磁(駆動)によりプランジャ８５を移動することで第２連繋部材８９が作動し、該第２連繋部材８９に被連繋部６６ａを介して連繋する特別開成部材６６が上下方向に揺動するよう構成される。実施例では、特別開成部材６６は、第２電磁ソレノイド６７が非励磁状態にあっては、該特別開成部材６６における支持端部から離間する開放端部が上方を指向して前記特別入賞口３２を閉鎖する閉鎖姿勢となる。一方、第２電磁ソレノイド６７が励磁状態にあっては、特別開成部材６６の開放端部が前方を指向して特別入賞口３２を開放すると共に該特別入賞口３２の下縁部から前方に延出した開放姿勢(図１２参照)まで姿勢変化可能に構成されている。そして、前記遊技領域２８を流下するパチンコ球は、開放姿勢となった特別開成部材６６で受け止められて、前記特別入賞口３２へ案内されるよう構成される。
【００５９】
(カバー部材９０について)
前記取着部材７４には、該取着部材７４に取り付けられる前記第２電磁ソレノイド６７の一部を覆うカバー部材９０が着脱自在に取り付けられている。このカバー部材９０は、図２１に示す如く、取着部材７４に対する固定部となる固定壁９１と、該固定壁９１の上端部から前方および左方に延在するように設けられた第１保護壁部(保護壁部)９２と、固定壁９１から左方に延在するように設けられた第２保護壁部(別の保護壁部)９３とを備えている。固定壁９１には、左右方向に貫通する通孔９１ａが形成されており、固定壁９１を前記第２電磁ソレノイド６７の後側のフランジ部８８を挟んで取着部材７４の第３延出部７９に対向した状態で、固定壁９１およびフランジ部８８の通孔９１ａ,８８ａに挿通した固定手段としてのネジ９４(図１７参照)を第３延出部７９のネジ孔７９ｃに螺挿することで、カバー部材９０が取着部材７４に固定されるようになっている。また、該ネジ９４によって取着部材７４に対して第２電磁ソレノイド６７が固定されるようになっている。すなわち、実施例では、取着部材７４に対して第２電磁ソレノイド６７およびカバー部材９０が１本のネジ９４によって固定されている。
【００６０】
(第１保護壁部９２について)
前記第１保護壁部９２は、固定壁９１を第２電磁ソレノイド６７のフランジ部８８に固定した状態で、図１３,図１７に示す如く、該第２電磁ソレノイド６７の本体部８４における上面(第１側面)８４ａを覆うように位置している。この第１保護壁部９２は、平板状の平板部９２ａと、該平板部９２ａの下面(本体部８４の第１側面８４ａとの対向面)から下方に向けて突設された複数の突部９２ｂ,９２ｃ,９２ｄとを備える。突部９２ｂ,９２ｃ,９２ｄとして、図１７,図１８,図２１に示す如く、平板部９２ａの前縁部に沿って左右方向に延在する前突部９２ｂと、平板部９２ａの後縁部に沿って左右方向に延在する後突部９２ｃと、平板部９２ａの左端部(第２電磁ソレノイド６７に対する固定側とは反対の端部)に沿って前後方向に延在して前後の突部９２ｂ,９２ｃに接続する左突部９２ｄとが設けられており、これら突部９２ｂ,９２ｃ,９２ｄによって第１保護壁部９２の下面には上側に凹む凹部９２ｅが形成されている。
【００６１】
前記第１保護壁部９２の前後寸法は、図１７に示す如く、第２電磁ソレノイド６７の前後寸法より短かく設定されており、該第１保護壁部９２では第２電磁ソレノイド６７の本体部８４における上面８４ａの後側の略半分(本体部８４の一部)を覆うよう構成されて、該本体部８４における上面８４ａの前側の略半分の上方は露出するよう構成される。また、第１保護壁部９２の左右方向の寸法は、図１８に示す如く、本体部８４の右端から左端まで延在する長さに設定されて、前記左突部９２ｄが、本体部８４の左端部を構成する前記ケーシング８３の左壁部の上面に沿って延在するよう構成されている。すなわち、第２電磁ソレノイド６７における本体部８４の後端部は、図１３に示す如く、第１保護壁部９２によって左右方向の略全長に亘って覆われて、前記始動入賞装置３１に接続されて特別入賞装置３３の後側(本体部８４の外側)を引き回される配線Ｈが、第２電磁ソレノイド６７の本体部８４に接触するのを該第１保護壁部９２によって防止し得るようになっている。
【００６２】
前記第１保護壁部９２は、前記固定壁９１をフランジ部８８に固定した状態で、前突部９２ｂの下面が本体部８４の上面(具体的にはケーシング８３の左壁部の上面)に当接するよう構成されて、該第１保護壁部９２の凹部９２ｅと本体部８４の上面８４ａとの間に第１放熱空間(放熱空間)Ｓ１が画成されるよう構成される(図１７参照)。また、第１保護壁部９２は、平板部９２ａが本体部８４の後端より後方に突出すると共に、前記後突部９２ｃが本体部８４の上面８４ａに当接しない後方に離間して位置するよう構成されて、前記第１放熱空間Ｓ１は本体部８４の後側で下方に開放し、第１放熱空間Ｓ１に熱がこもるのを抑制し得るようになっている。すなわち、第１保護壁部９２の後端部を本体部８４より後方(第２電磁ソレノイド６７における上面８４ａと交差する後面８４ｂの外方)に突出することで、該突出部分(突出部)によって前記配線Ｈが本体部８４に接触するのを防止すると共に、第１放熱空間Ｓ１を開放するようにして熱が第１放熱空間Ｓ１にこもるのを防止するようにしている。
【００６３】
(第２保護壁部９３について)
前記第２保護壁部９３は、図１７,図１８に示す如く、前記固定壁９１をフランジ部８８に固定した状態で、前記第２電磁ソレノイド６７の本体部８４における前記第１保護壁部９２で一部が覆われている上面８４ａと交差する後面(第２側面)８４ｂの一部を覆うように位置している。すなわち、前記カバー部材９０は、第２電磁ソレノイド６７における本体部８４の交差する２面(上面８４ａと後面８４ｂ)の夫々を一部覆う２つの保護壁部９２,９３を備えている。
【００６４】
前記第２保護壁部９３は、図１７に示す如く、前記固定壁９１において前記通孔９１ａを挟んで前記第１保護壁部９２の後端部(後突部９２ｃ)から下方に離間した位置を左右方向に延在するよう設けられている。すなわち、両保護壁部９２,９３の間に、前記第１放熱空間Ｓ１に連通する通気空間Ｓ３が両保護壁部９２,９３の延在方向の全長に亘って形成されており(図１３,図２０,図２１参照)、第２保護壁部９３によって第１放熱空間Ｓ１からの放熱が阻害されないよう構成される。また、通気空間Ｓ３は、両保護壁部９２,９３の間に臨む固定壁９１の通孔９１ａに挿通されている前記ネジ９４を締付けたり弛み外すためのドライバー等の工具のネジ９４に対するアクセスを可能とするアクセス空間としても機能するようになっている。
【００６５】
前記第２保護壁部９３は、図１７,図２１に示す如く、平板状の平板部９３ａと、該平板部９３ａの前面(本体部８４の第２側面８４ｂとの対向面)から前方に向けて突設された複数の突部９３ｂ,９３ｃ,９３ｄとを備える。突部９３ｂ,９３ｃ,９３ｄとして、平板部９３ａの上縁部に沿って左右方向に延在する上突部９３ｂと、平板部９３ａの下縁部に沿って左右方向に延在する下突部９３ｃと、平板部９３ａの左端部(第２電磁ソレノイド６７に対する固定側とは反対の端部)に沿って上下方向に延在して上下の突部９３ｂ,９３ｃに接続する左突部９３ｄとが設けられており、これら突部９３ｂ,９３ｃ,９３ｄによって第２保護壁部９３の前面には後側に凹む凹部９３ｅが形成されている。
【００６６】
前記第２保護壁部９３の上下寸法は、第２電磁ソレノイド６７における本体部８４の上下寸法より短かく設定されており、図１７に示す如く、該第２保護壁部９３では本体部８４における後面８４ｂの下側の略半分(本体部８４の一部)を覆うよう構成されて、該本体部８４における後面８４ｂの上側の略半分の後方は露出するよう構成される。また、第２保護壁部９３の左右方向の寸法は、本体部８４の左右方向の寸法より長く設定されて、前記左突部９３ｄが、図１８に示す如く、本体部８４の左端部を構成する前記ケーシング８３の左壁部より左方に離間して位置するよう構成されている。すなわち、第２電磁ソレノイド６７における本体部８４の後面８４ｂにおける下端部は、第２保護壁部９３によって左右方向の全長に亘って覆われて、前記始動入賞装置３１に接続されて特別入賞装置３３の後側(本体部８４の外側)を引き回される配線Ｈが、第２電磁ソレノイド６７の本体部８４に接触するのを該第２保護壁部９３によって防止し得るようになっている。実施例では、両保護壁部９２,９３の固定壁９１から左方への突出寸法が異なるよう構成されている。
【００６７】
前記第２保護壁部９３は、前記固定壁９１をフランジ部８８に固定した状態で、上下の突部９３ｂ,９３ｃの前面が本体部８４の後面８４ｂに当接するよう構成されて、該第２保護壁部９３の凹部９３ｅと本体部８４の後面８４ｂとの間に第２放熱空間Ｓ２が画成されるよう構成される(図１７参照)。また、第２保護壁部９３は、平板部９３ａが本体部８４の左端より左方に突出すると共に、前記左突部９３ｄが本体部８４の後面８４ｂに当接しない左方に離間して位置するよう構成されて、前記第２放熱空間Ｓ２は本体部８４の左側で前方に開放し、第２放熱空間Ｓ２に熱がこもるのを抑制し得るようになっている。すなわち、第２保護壁部９３の左端部を本体部８４より左方に突出することで、該突出部分(突出部)によって前記配線Ｈが本体部８４に接触するのを防止すると共に、第２放熱空間Ｓ２を開放するようにして熱が第２放熱空間Ｓ２にこもるのを防止し得るようになっている。
【００６８】
(裏側部材１００について)
前記設置部材２２の前端部には、前記遊技盤２０における第２装着口２１ｂの裏側に重なるように裏側部材１００が配設されている。この裏側部材１００には、図１４に示す如く、前記始動入賞装置３１の上部球通路５６に連通する上部球排出通路１０１、下部球通路５７に連通する下部球排出通路１０２および前記特別入賞装置３３の特別球通路７１に連通する特別球排出通路１０３が左右方向に並んで設けられている。裏側部材１００は、図７に示す如く、遊技盤２０の裏面から離間する基板１０４の前面に複数の側壁を立設することで、各球排出通路１０１,１０２,１０３が画成されている。また、裏側部材１００には、基板１０４の前側に、前記第２装着口２１ｂの上部開口５０に取り付けられた始動入賞装置３１における遊技盤２０の裏側に突出する始動装置本体５５を収容する第１収容部１０５が画成されると共に、該第１収容部１０５より下側において左右に離間する上部球排出通路１０１および下部球排出通路１０２の間に、前記特別入賞装置３３に配設された第２電磁ソレノイド６７および取着部材７４を収容する第２収容部１０６が画成されている。
【００６９】
(上部球排出通路１０１について)
前記上部球排出通路１０１は、前記基板１０４と、第１収容部１０５の右側に設けられて前方に突出する第１側壁１０７および第２側壁１０８と、両側壁１０７,１０８の前端に着脱自在に配設された第１蓋部材(蓋部材)１０９とによって画成されている(図１５参照)。また、上部球排出通路１０１は、第１収容部１０５内の上部において右方に向けて上部球入口(入口)１０１ａが開口すると共に、前記第２収容部１０６の右方において下方に向けて上部球出口１０１ｂが開口している。そして、第１収容部１０５に収容された始動装置本体５５に形成された前記上部球通路５６の上球出口５６ａが、上部球入口１０１ａに連通されるよう構成される。また、上部球入口１０１ａを画成する下側の第１側壁１０７の開放端が、前記樋状部５８に設けられている延出部５８ｂの延出端に近接位置するよう構成されて、上球出口５６ａから上部球入口１０１ａにパチンコ球を確実に通入させ得るようになっている。なお、第１側壁１０７の開放端と延出部５８ｂの延出端とは、図１４に示す如く、実施例ではパチンコ球が通過不能な僅かな隙間をあけて近接しているが、端部同士が当接するように接続させたり、またはパチンコ球の流下方向の下流側となる第１側壁１０７の開放端が延出部５８ｂの下側に重なるようになっていてもよい。
【００７０】
前記上部球排出通路１０１を画成する第１および第２側壁１０７,１０８には、図１４に示す如く、上部球入口１０１ａと上部球出口１０１ｂとの間に、該上部球排出通路１０１を通るパチンコ球を検出する上部始動入賞検出スイッチ(検出手段)１１０が着脱自在に取り付けられる上部スイッチ取着部(取着部)１１１が設けられている。この上部スイッチ取着部１１１は、前側に開口しており、該前側開口部(開口部)１１１ａを介して上部スイッチ取着部１１１に取り付けられた上部始動入賞検出スイッチ１１０は、その上下に貫通する検知部を上部球排出通路１０１に整合させた状態で位置決めされる。そして、第１および第２側壁１０７,１０８の前面に前記第１蓋部材１０９を取り付けることで、上部球排出通路１０１の前側開口１０１ｃおよび上部スイッチ取着部１１１の前側開口部１１１ａが共に閉塞されて、該第１蓋部材１０９によって上部スイッチ取着部１１１からの上部始動入賞検出スイッチ１１０の取り外しが規制されるよう構成される。
【００７１】
(下部球排出通路１０２について)
前記下部球排出通路(球排出通路)１０２は、前記基板１０４と、第１収容部１０５の下側に設けられて前方に突出する第３側壁１１２および第４側壁１１３によって前方および下方に開口するよう形成されて、両側壁１１２,１１３間において前側に開口する前側開口１０２ｃが、前記特別入賞装置３３に設けた蓋部９５によって閉塞されるよう構成される(図１５参照)。また、下部球排出通路１０２は、図７,図１４に示す如く、第１収容部１０５の下側において上方に向けて下部球入口(入口)１０２ａが開口すると共に、前記第２収容部１０６の左方において下方に向けて下部球出口１０２ｂが開口している。そして、第１収容部１０５に収容された始動装置本体５５に形成された前記下部球通路５７の下球出口５７ａが、下部球入口１０２ａに連通されるよう構成される。
【００７２】
前記下部球排出通路１０２を画成する第３および第４側壁１１２,１１３には、下部球入口１０２ａと下部球出口１０２ｂとの間に、該下部球排出通路１０２を通るパチンコ球を検出する下部始動入賞検出スイッチ(検出手段)１１４が着脱自在に取り付けられる下部スイッチ取着部(取着部)１１５が設けられている。この下部スイッチ取着部１１５は、前側に開口しており、該前側開口部(開口部)１１５ａを介して下部スイッチ取着部１１５に取り付けられた下部始動入賞検出スイッチ１１４は、その上下に貫通する検知部を下部球排出通路１０２に整合させた状態で位置決めされる。第３および第４側壁１１２,１１３には、下部スイッチ取着部１１５の前側開口部１１５ａを閉塞する第２蓋部材(蓋部材)１１６が着脱自在に取り付けられるよう構成されており、下部スイッチ取着部１１５に下部始動入賞検出スイッチ１１４を取り付けた状態で、第３および第４側壁１１２,１１３の前面に第２蓋部材１１６を取り付けることで、該第２蓋部材１１６によって下部スイッチ取着部１１５からの下部始動入賞検出スイッチ１１４の取り外しが規制されるよう構成される。
【００７３】
前記裏側部材１００に設けられる上部球排出通路１０１および下部球排出通路１０２は、図１５に示す如く、左右方向で並ぶように延在すると共に、上部球通路５６と上部球排出通路１０１との連通部(接続部)と、下部球通路５７と下部球排出通路１０２との連通部(接続部)とが、前後方向に偏倚しないように構成されている。
【００７４】
(特別球排出通路１０３について)
前記特別球排出通路(別の球排出通路)１０３は、図１４に示す如く、前記基板１０４と、前記下部球排出通路１０２の左方に設けられて前方に突出する第５側壁１１７と第６側壁１１８および第５側壁１１７と第６側壁１１８との上端を接続する第７壁１１９とによって、前方および下方に開口するよう形成されている。この特別球排出通路１０３は、３つの側壁１１７,１１８,１１９よって画成される前側開口が特別球入口１０３ａとして機能するよう構成されて、該特別球入口１０３ａが、前記特別入賞装置３３に設けた特別球出口７１ａに連通するようになっている。また、特別球排出通路１０３は、前記下部球排出通路１０２の左方において下方に向けて特別球出口１０３ｂが開口している。すなわち、特別入賞装置３３の特別入賞口３２に入賞したパチンコ球を排出する特別球排出通路１０３は、前記始動入賞装置３１の下部始動入賞口３０に入賞したパチンコ球を排出する下部球排出通路１０２と左右方向で隣り合って裏側部材１００に設けられている。
【００７５】
前記裏側部材１００の前記第１収容部１０５と第２収容部１０６とは連通するよう構成されると共に、第２収容部１０６は前後および下側に開口するよう形成されており、第１収容部１０５に収容された前記始動入賞装置３１から導出する前記配線Ｈは、第１収容部１０５から第２収容部１０６に引き込まれて、該第２収容部１０６に収容されている前記第２電磁ソレノイド６７が取り付けられている取着部材７４の後側(外側)を引き回されるよう構成される。すなわち、実施例では裏側部材１００の第２収容部１０６が、配線用の引き回し空間として機能している。
【００７６】
前記裏側部材１００には、前記第１収容部１０５の左方で特別球排出通路１０３の上方の位置に、センサ設置部１２０が設けられており、該センサ設置部１２０に、前記制御手段に接続する不正検出装置１２１が着脱自在に装着されている。この不正検出装置１２１は、前記始動入賞検出スイッチ１１０,１１４および特別入賞検出スイッチ７２に向けて放射される電波による不正行為を検出する装置であって、裏側部材１００に配設された２つの始動入賞検出スイッチ１１０,１１４の検出部および特別入賞装置３３に設けられた特別入賞検出スイッチ７２の検出部が、当該不正検出装置１２１による不正電波の検出範囲に入るよう設定されており、始動入賞装置３１や特別入賞装置３３にめがけて放射される不正電波を、該不正検出装置１２１によって確実に検出し得るよう構成される。そして、制御手段は、不正検出装置１２１が不正電波を検出した場合は、ランプ装置１８の発光態様やスピーカ１９からの音出力によって不正電波の検出を報知し得るように構成されている。
【００７７】
〔実施例の作用〕
次に、前述した実施例に係るパチンコ機１０の作用につき説明する。
【００７８】
前記前枠１３に設けられた前記操作ハンドル１６の操作レバー１６ａを遊技者が回転操作すると、前記打球発射装置から発射されたパチンコ球が前記遊技盤２０の遊技領域２８内に打ち出される。この遊技領域２８に打ち出されたパチンコ球は、前記枠状装飾体４２の外周囲を流下し、該パチンコ球が前記始動入賞口２９,３０に入賞すると、前記制御手段の制御に基づいて前記表示装置１７の表示部１７ａにおいて図柄が変動開始され、所要の図柄変動演出が展開される。表示部１７ａで展開される図柄変動演出の結果、該表示部１７ａに所定の図柄組合わせで図柄が停止表示されたときに大当りが発生する。そして、大当りが発生すると、表示装置１７の表示部１７ａに表示された図柄組み合わせに応じて、前記特別入賞装置３３の特別入賞口３２が開放され、遊技者は多くの賞球が獲得可能となる。
【００７９】
実施例のパチンコ機１０では、図１４に示す如く、前記設置部材２２に配設される裏側部材１００に、前記遊技盤２０に配設された始動入賞装置３１の上下の始動入賞口２９,３０に入賞したパチンコ球を外部に排出する球排出通路１０１,１０２が形成されると共に、各球排出通路１０１,１０２を通るパチンコ球を検出する始動入賞検出スイッチ１１０,１１４が該裏側部材１００に配設されている。すなわち、始動入賞口２９,３０に入賞したパチンコ球を検出する始動入賞検出スイッチ１１０,１１４を始動入賞装置３１の始動装置本体５５に配設する必要はないので、該始動入賞装置３１を小型化することができる。従って、前記表示装置１７や枠状装飾体４２を大型化して表示演出の興趣を向上したもとで、複数の始動入賞口２９,３０を備えた始動入賞装置３１を設置し得るレイアウトの自由度を高くすることができ、興趣の高い盤面構成とし得る。また、始動入賞装置３１に始動入賞検出スイッチ１１０,１１４が配設されていないので、遊技盤２０に対する始動入賞装置３１の着脱作業に際しての配線Ｈの処理作業が容易となり、作業性が向上する。
【００８０】
前記始動入賞装置３１の始動装置本体５５に設けた上部球通路５６および下部球通路５７の後端を略揃えると共に、上部球通路５６の上球出口５６ａを側方に開口する一方で、下部球通路５７の下球出口５７ａを下方に開口するよう構成したので、各球出口５６ａ,５７ａに連通する球排出通路１０１,１０２を前記裏側部材１００に対して前後方向にずらすことなく左右方向に並ぶように設けることができる(図１５参照)。すなわち、遊技盤２０の裏側に裏側部材１００を配設した状態で、複数の球排出通路１０１,１０２の遊技盤裏側からの突出寸法を球排出通路の１つ分に抑えることができ、遊技盤２０の裏側のスペースの有効利用が可能となる。また、上部球通路５６と下部球通路５７とを上下方向に整列するように始動装置本体５５に設けているので、始動装置本体５５の左右方向の幅寸法を球通路の１つ分に抑えることができ、これによっても遊技盤２０の裏側のスペースの有効利用が可能となる。
【００８１】
前記下部始動入賞口３０の開口量を可変する前記始動開成部材６０を作動する第１電磁ソレノイド６２を、図６,図１４に示す如く、上下の球通路５６,５７の間において上下方向で整列するように配置しているので、始動装置本体５５の左右方向の幅寸法を小さく抑えることができ、より小型化に寄与し得る。
【００８２】
前記裏側部材１００に、図１４に示す如く、前記始動装置本体５５が収容される第１収容部１０５に連通する第２収容部１０６を前後および下側に開口するように形成したので、始動装置本体５５に配設されている前記第１電磁ソレノイド６２から導出する配線Ｈを裏側部材１００の裏側に引き回す処理が容易となる。すなわち、配線Ｈを通孔を通して裏側へ引き出す構成に比べ、前後方向および下側に開口する第２収容部１０６を介して裏側へ引き出す作業は容易で、パチンコ機１０の組み立て作業性を向上し得る。
【００８３】
実施例では、前記特別入賞装置３３の特別入賞口３２に入賞したパチンコ球を外部に排出する特別球排出通路１０３を、図１４,図１５に示す如く、前記下部球排出通路１０２に対して左右方向で隣り合うように前記裏側部材１００に設けたので、特別球排出通路１０３によって遊技盤２０の裏側への球排出通路１０１,１０２,１０３の突出寸法が大きくなるのを抑えることができる。また、特別入賞装置３３の特別装置本体６５に設けた蓋部９５によって下部球排出通路１０２の前側開口１０２ｃを塞ぐように構成したので、下部球排出通路１０２の前側開口１０２ｃを塞ぐ蓋部材を別途設ける場合に比べて前後寸法を小さくすることができる。すなわち、下部球排出通路１０２の前側開口１０２ｃを塞ぐ蓋部材を、該下部球排出通路１０２を画成する前記第３および第４側壁１１２,１１３の前側に配設すると、該蓋部材の厚み分の隙間を下部球排出通路１０２の前端と特別装置本体６５の後端との間にあけなければならないが、特別装置本体６５に設けた蓋部９５で前側開口１０２ｃを塞ぐようにすれば、該隙間をあける必要はなく、前後寸法を小さく抑制し得る。
【００８４】
前記裏側部材１００に対して各始動入賞検出スイッチ１１０,１１４が取り付けられるスイッチ取着部１１１,１１５の前側開口部１１１ａ,１１５ａは、対応する球排出通路１０１,１０２の側壁１０７,１０８,１１２,１１３に対して着脱自在な蓋部材１０９,１１６を取り外すことで開放し得るので、始動入賞検出スイッチ１１０,１１４の故障等に伴う交換作業を容易に行い得る。
【００８５】
前記特別入賞装置３３に配設された第２電磁ソレノイド６７における本体部８４の上面８４ａの後部側を、図１３,図１７に示す如く、該第２電磁ソレノイド６７に配設したカバー部材９０における第１保護壁部９２で覆っているので、当該特別入賞装置３３の上側に配設された前記始動入賞装置３１から導出して特別入賞装置３３の後方を引き回される前記配線Ｈが第２電磁ソレノイド６７の本体部８４に直に接触するのを防ぐことができる。すなわち、大当り遊技等に際して前記特別開成部材６６を開放するために第２電磁ソレノイド６７を長時間に亘って励磁することで温度上昇した本体部８４に配線Ｈが接触するのを防止して、該配線Ｈの被覆が溶ける等の損傷が発生するのを防ぐことができる。また、カバー部材９０は、第２電磁ソレノイド６７の全体を覆うものではないので、カバー部材９０による大型化を抑制することができる。
【００８６】
図１７に示す如く、前記第１保護壁部９２の凹部９２ｅと第２電磁ソレノイド６７の本体部８４の上面８４ａとの間に第１放熱空間Ｓ１を画成すると共に、該第１放熱空間Ｓ１を本体部８４の後側で開放するよう構成したので、第１保護壁部９２によって配線Ｈが本体部８４に接触するのを防ぎつつ、第２電磁ソレノイド６７で発生した熱を放出することができ、熱が第１放熱空間Ｓ１にこもって第２電磁ソレノイド６７が損傷するのを防ぐことができる。
【００８７】
実施例のパチンコ機１０では、前記カバー部材９０の第２保護壁部９３によって第２電磁ソレノイド６７の後面８４ｂの一部を覆うよう構成したので、前記特別入賞装置３３の後側を引き回される配線Ｈが本体部８４の後面８４ｂに接触するのを防止することができ、該配線Ｈの損傷を防ぐことができる。また、図１７,図１８に示す如く、第２保護壁部９３の凹部９３ｅと第２電磁ソレノイド６７の本体部８４の後面８４ｂとの間に第２放熱空間Ｓ２を画成すると共に、該第２放熱空間Ｓ２を本体部８４の左側で開放するよう構成したので、第２保護壁部９３によって配線Ｈが本体部８４に接触するのを防ぎつつ、第２電磁ソレノイド６７で発生した熱を放出することができ、熱が第２放熱空間Ｓ２にこもって第２電磁ソレノイド６７が損傷するのを防ぐことができる。更に、前記第１保護壁部９２と第２保護壁部９３とは、左右方向の全長に亘って離間して後方および左方に開放する通気空間Ｓ３を両保護壁部９２,９３の間に画成しているので、前記第１放熱空間Ｓ１からの放熱が第２保護壁部９３によって阻害されることはなく、放熱効果を高めることができる。
【００８８】
実施例では、前記カバー部材９０および第２電磁ソレノイド６７を１本のネジ９４で固定した前記取着部材７４を特別装置本体６５に取り付けることで、該特別装置本体６５に第２電磁ソレノイド６７が位置決め固定されるよう構成した。すなわち、取着部材７４にカバー部材９０および第２電磁ソレノイド６７を１本のネジ９４によって共締めするよう構成したので、第２電磁ソレノイド６７を特別装置本体６５に固定するための部品点数を低減することができる。
【００８９】
〔変更例〕
本願発明は、前述した実施例の構成に限定されるものではなく、その他の構成を適宜に採用することができる。
(1) 実施例では、始動入賞装置における下部始動入賞口の開口量を変化する始動開成部材について、一対の開閉体が閉成状態で、該開閉体と上部球受部とによって下部始動入賞口へのパチンコ球の入賞が規制されるよう構成したが、閉成状態において一対の開閉体のみによって下部始動入賞口へのパチンコ球の入賞を規制する構成であってもよい。
(2) 実施例では、始動入賞装置における下部始動入賞口の開口量を変化する始動開成部材について、上部球受部と閉成状態の一対の開閉体とによって下部始動入賞口へのパチンコ球の入賞を規制するよう構成したが、上部球受部と開閉体との離間間隔を広くし、該開閉体の閉成状態においても下部始動入賞口へのパチンコ球の入賞が許容される構成を採用することができる。すなわち、下部始動入賞口は、始動開成部材の開放状態と閉成状態とでパチンコ球の入賞確率が異なるものであればよい。
(3) 実施例では、始動入賞装置における下部始動入賞口の開口量を変化する始動開成部材を一対の開閉体で構成したが、前後動する１つの開閉体によって下部始動入賞口の開口量を変化させることで、パチンコ球が入賞可能な状態と入賞が規制される状態とに切替えられるよう構成したものであってもよい。
(4) 実施例では、入賞装置の入賞口として、パチンコ球の入賞を契機として制御手段の制御下に表示装置で図柄変動演出が開始される始動入賞口を挙げたが、該入賞口としては賞球のみが付与される入賞口であってもよい。
(5) 実施例では、裏側部材に設けられた下部球排出通路の前側開口を特別入賞装置に設けた蓋部で塞ぐよう構成したが、該下部球排出通路を上下に開口する(入口と出口が設けられた)筒状に形成した構成を採用し得る。
【００９０】
(6) 実施例では、裏側部材に設けられた上部球排出通路の前側開口とスイッチ取着部の前側開口とを共通の蓋部材で塞ぐよう構成したが、上部球排出通路を(入口と出口が設けられた)筒状に形成し、スイッチ取着部の前側開口を蓋部材で塞ぐ構成を採用し得る。
(7) 実施例では、裏側部材に始動入賞装置(入賞装置)の上下の入賞口に連通する球排出通路および特別入賞装置(別の入賞装置)の入賞口に連通する球排出通路(別の球排出通路)を設けたが、特別入賞装置(別の入賞装置)の入賞口に連通する球排出通路(別の球排出通路)は別の裏側部材に設けられたものであってもよい。
(8) 実施例では、始動入賞装置および特別入賞装置が取り付けられる第２装着口として、始動入賞装置が取り付けられる上部開口と特別入賞装置が取り付けられる下部開口を連通する構成で説明したが、始動入賞装置が取り付けられる装着口と特別入賞装置が取り付けられる装着口とが連通しない構成であってもよい。すなわち、各入賞装置に対応する装着着が夫々独立して設けられるものであってよい。
(9) 特別入賞装置における特別入賞口の開口量を変化する特別開成部材は、特別入賞口へのパチンコ球の入賞が可能な入賞許容状態とパチンコの入賞を規制する入賞規制状態とに変化するものであれば、入賞規制状態において特別入賞口が閉塞されていなくてもよい。
(10) 実施例では、第２電磁ソレノイドに配設されるカバー部材として、本体部の上面を保護する第１保護壁部と後面を保護する第２保護壁部とを設けた場合で説明したが、少なくとも上面を保護する第１保護壁部を備えたものであればよい。
【００９１】
(11) 実施例では、カバー部材の第１保護壁部と第２保護壁部との間に臨む固定壁を第２電磁ソレノイドにネジ止め固定するよう構成したが、カバー部材を第２電磁ソレノイドに固定する部位が別の位置であってもよい。
(12) 実施例では、カバー部材の第１保護壁部と第２電磁ソレノイドの本体部の上面との間に画成される第１放熱空間が、該第１保護壁部の固定壁からの延出端側では閉塞されるよう構成したが、第１保護壁部に形成される凹部を延出端まで延在するように形成して、第１放熱空間が第１保護壁部の延出端で開放するようにしてもよい。
(13) 実施例では、カバー部材の各保護壁部の外表面を平坦面とした場合で説明したが、外表面に保護壁部の延在方向または延在方向と交差する方向に並ぶ多数の凹部を形成して放熱効果を向上させるよう構成したものを採用し得る。
(14) 実施例では、第２電磁ソレノイドをプランジャが左右方向に進退動する横向き姿勢で特別入賞装置に配設したが、該プランジャが前後方向に進退動する前後向きの姿勢で第２電磁ソレノイドを特別入賞装置に配設したものであってもよい。この形態では、第２電磁ソレノイドの本体部に対してカバー部材の第１保護壁部が上面(第１側面)に沿って前後方向に延在すると共に、第２保護壁部が左または右の側面(第２側面)に沿って前後方向に延在するよう構成される。そして、第２電磁ソレノイドの本体部の外側において配線は、該本体部の上方から第２保護壁部が位置する側に向けて左右方向に延在するように引き回されるものであれば、該配線が本体部に接触するのを両保護壁部によって防止し得る。
(15) 遊技機としては、パチンコ機に限られるものではなく、アレンジボール機や遊技媒体としてパチンコ球やメダルを用いたスロットマシン等、その他各種の遊技機であってもよい。
【００９２】
実施例および別実施例に記載された遊技機からは、下記の付記に記載した構成に係る遊技機を特定可能である。
〔付記１〕
請求項１〜４の何れか一項に記載の遊技機において、
前記遊技盤(20)における前記入賞装置(33)の上側に別の入賞装置(31)が配設され、
前記別の入賞装置(31)は、前記遊技領域(28)を流下する遊技球が入賞可能な入賞口(30)の開口量を変化可能に作動される別の開成部材(60)と、
前記別の開成部材(60)を作動する駆動手段(62)とを備え、
前記駆動手段(62)に一端が接続された配線(H)が、前記カバー部材(90)の保護壁部(92)の外側を引き回されるよう構成されている。
付記１の遊技機によれば、別の入賞装置の駆動手段から導出する配線が電磁ソノレイドに直に接触するのを防止して、該配線の損傷を防ぐことができる。
【００９３】
〔付記２〕
付記１の遊技機において、
前記遊技盤(20)の裏側に配設される裏側部材(100)に、該裏側部材(100)を遊技盤(20)の裏側に配設した状態で前記別の入賞装置(31)の入賞口(30)に連通し、前方および下方に開口する球排出通路(102)が設けられ、該球排出通路(102)の前側開口(102c)は前記入賞装置(33)に設けた蓋部(95)によって塞がれるよう構成されている。
付記２の遊技機によれば、入賞装置に設けた蓋部によって球排出通路の前側開口を塞ぐように構成したので、球排出通路の前側開口を塞ぐ蓋部材を別途設ける場合に比べて前後寸法を小さくすることができる。
【符号の説明】
【００９４】
２０ 遊技盤
２８ 遊技領域
３２ 特別入賞口(入賞口)
３３ 特別入賞装置(入賞装置)
６５ 特別装置本体(装置本体)
６６ 特別開成部材(開成部材)
６７ 第２電磁ソレノイド(電磁ソレノイド)
８２ 磁力発生部(励磁コイル)
８３ ケーシング
８４ 本体部
８４ａ 上面(第１側面)
８４ｂ 後面(第２側面)
８８ フランジ部
９０ カバー部材
９１ 固定壁(固定部)
９２ 第１保護壁部(保護壁部)
９２ｅ 凹部
９３ 第２保護壁部(別の保護壁部)
９４ ネジ(固定手段)
Ｈ 配線
Ｓ１ 第１放熱空間(放熱空間)
Ｓ３ 通気通路
【図１】
2016077491.tif 000003
【図２】
2016077491.tif 000004
【図３】
2016077491.tif 000005
【図４】
2016077491.tif 000006
【図５】
2016077491.tif 000007
【図６】
2016077491.tif 000008
【図７】
2016077491.tif 000009
【図８】
2016077491.tif 000010
【図９】
2016077491.tif 000011
【図１０】
2016077491.tif 000012
【図１１】
2016077491.tif 000013
【図１２】
2016077491.tif 000014
【図１３】
2016077491.tif 000015
【図１４】
2016077491.tif 000016
【図１５】
2016077491.tif 000017
【図１６】
2016077491.tif 000018
【図１７】
2016077491.tif 000019
【図１８】
2016077491.tif 000020
【図１９】
2016077491.tif 000021
【図２０】
2016077491.tif 000022
【図２１】
2016077491.tif 000023